(57)【要約】      （修正有）【課題】毛髪巻き付け部の径が可変な使い勝手の良いヘアーカーラーを提供することを目的とする。【解決手段】径サイズを大径状態と小径状態の間で相互に変更可能なヘアーカーラー１００であり、鍔状のトップカバー１及び鍔状のボトムカバー２の間に挟持された円筒状の胴部１２４を備え、胴部１２４は、トップカバー１及びボトムカバー２を相対的に回動させることにより相対的に変位する一対の半割筒体５、６であって、互いに隙間なく正対して円筒を形成する小径状態と、少なくとも一方の側端縁を離間させて隙間を形成する大径状態との間で切り替わる一対の半割筒体５、６と、トップカバー１及びボトムカバー２を相対的に回動させることにより変位する充填体であって、一対の半割筒体５、６が小径状態にあるときに円筒の内部へ収容され、一対の半割筒体５、６が大径状態にあるときに間隙へ充填される充填体と、を備えている。【選択図】図１
0003229816.tif 000002
【実用新案登録請求の範囲】
【請求項１】
径サイズを大径状態と小径状態の間で相互に変更可能なヘアーカーラーにおいて、
鍔状のトップカバー及び鍔状のボトムカバーの間に挟持された円筒状の胴部を備え、
前記胴部は、
前記トップカバー及びボトムカバーを相対的に回動させることにより相対的に変位する一対の半割筒体であって、互いに隙間なく正対して円筒を形成する小径状態と、少なくとも一方の側端縁を離間させて隙間を形成する大径状態との間で切り替わる一対の半割筒体と、
前記トップカバー及びボトムカバーを相対的に回動させることにより変位する充填体であって、前記一対の半割筒体が前記小径状態にあるときに前記円筒の内部へ収容され、前記一対の半割筒体が前記大径状態にあるときに前記間隙へ充填される充填体と、
を備えていることを特徴とするヘアーカーラー。
【請求項２】
請求項１に記載のヘアーカーラーにおいて、
少なくとも一方の前記半割筒体の上端部及び下端部にはそれぞれ上突起部及び下突起部が設けられると共に、
前記充填体の上端部及び下端部にはそれぞれ上突起部及び下突起部が設けられ、
前記トップカバーには、前記半割筒体の上突起部の移動を案内する第一上案内溝及び前記充填体の上突起部の移動を案内する第二上案内溝を有した案内プレートが配置され、
前記ボトムカバーには、前記半割筒体の下突起部の移動を案内する第一下案内溝及び前記充填体の下突起部の移動を案内する第二下案内溝を有した案内プレートが配置されている、
ことを特徴とするヘアーカーラー。
【請求項３】
請求項１又は２に記載のヘアーカーラーにおいて、
小径状態と大径状態をそれぞれ保持するためのストッパを備えていることを特徴とするヘアーカーラー。
【請求項４】
請求項１から３のいずれか１項に記載のヘアーカーラーにおいて、
前記一対の半割筒体の表面にはそれぞれ面ファスナーが配置されていることを特徴とするヘアーカーラー。
【請求項５】
請求項１から４のいずれか１項に記載のヘアーカーラーにおいて、
前記胴部の内部には発熱体が配置されていることを特徴とするヘアーカーラー。
【請求項６】
請求項１から５のいずれか１項に記載のヘアーカーラーにおいて、
前記胴部に巻き付けられた毛髪を押さえるヘアークリップを備えていることを特徴とするヘアーカーラー。
【考案の詳細な説明】
【技術分野】
【０００１】
本考案は、ヘアーカーラーに関する。
【背景技術】
【０００２】
ヘアーカーラーには、その内部に発熱体を備えた発熱型（特許文献１）や、カーラーとは別体で設けられた加熱装置で加熱する蓄熱型（特許文献２−４）などがある。ユーザは、このようにして温めたヘアーカーラーの胴部へ毛髪を巻き付け、ヘアークリップなどで外れないよう頭部へ固定すると共に、その後、ヘアーカーラーが自然冷却されるまで数分から数十分（場合によっては一晩）の放置時間を経ることにより、毛髪をカール状に癖付けすることができる。
【０００３】
このように、頭部へ固定可能なヘアーカーラーは、ハンドルを操作するタイプのヘアーアイロンとは異なり、自然冷却中の放置時間中にユーザがハンズフリーの状態となるので、メイク時間、着替え時間、就寝時間などを利用してヘアスタイリングできるという利点がある。しかも、ハンズフリーのため、放置時間を長くすることによってカールの持続時間を長くすることも容易である。さらに、ヘアーカーラーは、たとえロングヘアであったとしても一束の毛髪を根元から毛先にかけて同時に癖付けすることができるので効率的であるし、一束の毛髪を根元から毛先にかけて「らせん状」でなく「渦巻き状」に巻き付けることができるので、根元から毛先にかけて徐々に曲率が小さくなる自然な巻き髪（天然のカールに近い巻き髪）を実現できるという利点もある。
【先行技術文献】
【特許文献】
【０００４】
【特許文献１】特許第２９１９０２８号公報
【特許文献２】特許第３５９０１４５号公報
【特許文献３】実用新案登録第３１５１８４７号公報
【特許文献４】特開２００６−６６８７号公報
【特許文献５】特許第６３５２５３８号公報
【特許文献６】特許第６０４１１５３号公報
【考案の概要】
【考案が解決しようとする課題】
【０００５】
ここで、例えば、頭頂部の髪の根元に立ち上がりを付けてボリューム感を出したいときや、前髪にカールをつけて左又は右へ髪を流したいときなどには、比較的径の太いカーラーが適している。一方、髪を後ろで束ねたときに落ちてくる「後れ毛」にカールを付けて顔周りを華やかにしたいときには、比較的径の細いカーラーが適している。また、ヘアスタイルや毛髪の長さによっては（例えばロングヘアとセミロングヘアとでは）巻き髪に必要なカーラーの太さが異なることも知られている。よって、これら様々な用途でカーラーを使うことを希望するユーザは、径の太さの異なる複数のヘアーカーラーを準備しておく必要があった。
【０００６】
しかしながら、例えば発熱型のカーラーは、発熱機能を有しないカーラーと比較して高価であるから複数所有するのは効率的でないし、また別体の加熱装置を要する蓄熱型のカーラーは、径サイズのバリエーションを増やすと加熱装置（すなわちケース）のサイズが大きくなって持ち運びが不便になるので、多種のカーラーをわざわざ買い揃えるユーザは余り多くなかったのが現状である。特に、発熱型のカーラーは、ヘアーアイロンを自宅に所有しているユーザが外出先でスタイリングするために携帯することも多いので、なるべくコンパクトにしたいとの要望が強かった。
【０００７】
なお、特許文献５，６には、発熱体である筒状部材の径サイズが可変なヘアーアイロンが開示されている。このヘアーアイロンによれば、太めのカールを髪へ転写することも細めのカールを髪へ転写することも可能である。よって、このヘアーアイロンの機構をヘアーカーラーへ適用することにより上記問題を解決できるとも考えられる。
【０００８】
しかしながら、頭部へ固定できるヘアーカーラーは、ハンドルを操作するタイプのヘアーアイロンとは使い勝手が全く異なる。このため、特許文献５，６のヘアーアイロンの機構をヘアーカーラーに適用する場合には、胴部の径を拡縮させるための機構がヘアーカーラーを頭部に固定する際の邪魔にならないことが望まれる。また、仮にヘアーカーラーをドラッグストアやコンビニエンスストアなどで気軽に購入できるようにすることを想定したならば、胴部の径を拡縮させるための操作はなるべく直感的に分かり易いものとすべきである。
【０００９】
そこで、本考案は、毛髪巻き付け部の径が可変な使い勝手の良いヘアーカーラーを提供することを目的とする。
【課題を解決するための手段】
【００１０】
上記課題を解決するため請求項１に係る本考案は、径サイズを大径状態と小径状態の間で相互に変更可能なヘアーカーラーにおいて、鍔状のトップカバー及び鍔状のボトムカバーの間に挟持された円筒状の胴部を備え、前記胴部は、前記トップカバー及びボトムカバーを相対的に回動させることにより相対的に変位する一対の半割筒体であって、互いに隙間なく正対して円筒を形成する小径状態と、少なくとも一方の側端縁を離間させて隙間を形成する大径状態との間で切り替わる一対の半割筒体と、前記トップカバー及びボトムカバーを相対的に回動させることにより変位する充填体であって、前記一対の半割筒体が前記小径状態にあるときに前記円筒の内部へ収容され、前記一対の半割筒体が前記大径状態にあるときに前記間隙へ充填される充填体と、を備えていることを特徴とする。
【００１１】
上記課題を解決するため請求項２に係る本考案は、請求項１に記載のヘアーカーラーにおいて、少なくとも一方の前記半割筒体の上端部及び下端部にはそれぞれ上突起部及び下突起部が設けられると共に、前記充填体の上端部及び下端部にはそれぞれ上突起部及び下突起部が設けられ、前記トップカバーには、前記半割筒体の上突起部の移動を案内する第一上案内溝及び前記充填体の上突起部の移動を案内する第二上案内溝を有した案内プレートが配置され、前記ボトムカバーには、前記半割筒体の下突起部の移動を案内する第一下案内溝及び前記充填体の下突起部の移動を案内する第二下案内溝を有した案内プレートが配置されていることを特徴とする。
【００１２】
上記課題を解決するため請求項３に係る本考案は、請求項１又は２に記載のヘアーカーラーにおいて、小径状態と大径状態をそれぞれ保持するためのストッパを備えていることを特徴とすることを特徴とする。
【００１３】
上記課題を解決するため請求項４に係る本考案は、請求項１から３のいずれか１項に記載のヘアーカーラーにおいて、前記一対の半割筒体の表面にはそれぞれ面ファスナーが配置されていることを特徴とする。
【００１４】
上記課題を解決するため請求項５に係る本考案は、請求項１から４のいずれか１項に記載のヘアーカーラーにおいて、前記胴部の内部には発熱体が配置されていることを特徴とする。
【００１５】
上記課題を解決するため請求項６に係る本考案は、請求項１から５のいずれか１項に記載のヘアーカーラーにおいて、前記胴部に巻き付けられた毛髪を押さえるヘアークリップを備えていることを特徴とする。
【考案の効果】
【００１６】
本考案のヘアーカーラーによれば、ユーザが左右の手で鍔状のトップカバー及び鍔状のボトムカバーをそれぞれ軽く掴み、両手首を互いに反対方向へ少しひねるだけで、これらトップカバー及びボトムカバーを相対的に回動させ、胴部の径を大径状態と小径状態との間で切り替えることが可能である。しかも、仮にユーザが説明書を読まなかったとしても、ヘアーカーラーを手で持って少し触っている間に、鍔状のトップカバー及び鍔状のボトムカバーが相対的に回動可能であること、そしてこの回動によって胴部の径が変化することに容易に気づくことが可能である。しかも、このヘアーカーラーへ毛髪を巻き付ける際には、鍔状のトップカバー又は鍔状のボトムカバーを片手で掴み、これを回転させながら他方の手で胴部へ毛髪を巻き付けて行くことができるので、巻き付けの作業が容易である。さらに、ヘアーカーラーを頭部へ固定した後も、ヘアーカーラーの表面に余計な突起等を有していないため、就寝中に邪魔になりにくく、また寝返りを打った際に外れたり、頭皮を痛めたりするおそれもない。したがって、本考案によれば、毛髪巻き付け部の径が可変な使い勝手の良いヘアーカーラーを提供できるという効果がある。
【図面の簡単な説明】
【００１７】
【図１】図１は、本実施形態に係るヘアーカーラーが小径状態にあるときの斜視図である。
【図２】図２は、本実施形態に係るヘアーカーラーが大径状態にあるときの斜視図である。
【図３】図３は、本実施形態に係るヘアーカーラーの分解図である。
【図４】図４（Ａ）は、トップカバーと共に回動する案内プレートを説明する斜視図、図４（Ｂ）はボトムカバーの側へ固定された案内プレートを説明する斜視図である。
【図５】図５（Ａ）は、トップカバーを外した小径状態のヘアーカーラーの概略平面図、図５（Ｂ）は、トップカバーを外した大径状態のヘアーカーラーの概略平面図である。
【図６】図６は、ストッパの説明図である。
【図７】図７（Ａ）は、ヘアークリップをヘアーカーラーに装着した状態を示す斜視図、図７（Ｂ）はヘアークリップの分解図である。
【考案を実施するための形態】
【００１８】
以下、図面を参照して本考案のヘアーカーラーの一実施形態について説明する。
【００１９】
［ヘアーカーラーの概略構成］
図１は、本実施形態に係るヘアーカーラーが小径状態にあるときの斜視図、図２は、本実施形態に係るヘアーカーラーが大径状態にあるときの斜視図である。図１及び図２に示すとおり、本実施形態のヘアーカーラー１００は、円筒状の胴部１２４を小径状態（図１）と大径状態（図２）の間で相互に変更可能なヘアーカーラーであって、その胴部１２４は樹脂製の鍔状トップカバー１及び樹脂製の鍔状ボトムカバー２の間に挟持されている。ここでいう「鍔状のカバー」は、大径状態の胴部１２４の径と同等又は若干大きな径を有した概略円盤状のカバーのことである。尚、本実施形態では小径状態の場合は径サイズが２６ｍｍ、大径状態の場合は３２ｍｍであるが、これに限定されるものではない。
【００２０】
この胴部１２４は、トップカバー１及びボトムカバー２を相対的に回動させることにより相対的に変位する樹脂製の一対の半割筒体５，６を備えており、これら半割筒体５，６の表面には、毛髪を絡めるための面ファスナーのフック面２４，２４がそれぞれ配置されている。
【００２１】
以下、ボトムカバー２からトップカバー１に向かう方向を上方向とし、下方に位置するボトムカバー２が固定されているものと仮定して各部の動きを説明する。本実施形態のヘアーカーラー１００においては、一方の半割筒体５はボトムカバー２の側に固定されているのに対し、トップカバー１の側は図１の方向Ａへ回動可能とされており、トップカバー１が回動するのに伴って、他方の半割筒体６の位置が変位可能となっている。この半割筒体６の変位によって、一対の半割筒体５，６が互いに隙間なく正対して円筒を形成する小径状態（図１）と、半割筒体５，６が互いの側端縁５Ｅ，６Ｅを離間させて隙間Ｇを形成する大径状態（図２）との間で胴部１２４が切り替わる。
【００２２】
そして、胴部１２４の内部には、部分円柱状の樹脂製の充填体７（図２参照）が配置されている。この充填体７は、トップカバー１の回動に伴ってその位置が径方向に進退（変位）可能となっており、胴部１２４が小径状態（図１の状態）にあるときには円筒状の胴部１２４の内部へ収容され、胴部１２４が大径状態（図２の状態）にあるときには間隙Ｇを埋めるように充填される。この大径状態では充填体７の側面及び一対の半割筒体５，６の側面が全体として概略円筒側面を形成する。
【００２３】
［ヘアーカーラーの内部構成］
図３は、本実施形態に係るヘアーカーラーの分解図である。図３に示すとおり、胴部１２４の内部には、トップカバー１とボトムカバー２を連結する樹脂製の回動シャフト１３及び発熱体１２５が配置されている。この回動シャフト１３は、トップカバー１の側に固定されており、トップカバー１と共に回動する。また、トップカバー１の内部には、回路基板３１及び２枚の樹脂製の案内プレート９，４が上から順に重ねて配置されており、ボトムカバー２の内部には、半割筒体５の下端に一体形成された樹脂製の案内プレート５Ａと、当該案内プレート５Ａとは別体で設けられた樹脂製の案内プレート８とが上から順に重ねて配置されている。
【００２４】
このうち、トップカバー１の内部に配置された案内プレート９，４には、上案内溝９Ｕ，４Ｕがそれぞれ設けられている。これらの上案内溝９Ｕ，４Ｕは、半割筒体６の上端に設けられた上突起部６Ｕ及び充填体７の上端に設けられた上突起部７Ｕの移動を案内するために設けられたものである（詳細は後述する）。
一方、ボトムカバー２の内部に配置された案内プレート５Ａ，８には、下案内溝５Ｌ，８Ｌがそれぞれ設けられている。これらの下案内溝５Ｌ，８Ｌは、半割筒体６の下端に設けられた下突起部６Ｌ及び充填体７の下端に設けられた下突起部７Ｌの移動を案内するために設けられたものである（詳細は後述する）。
【００２５】
さらに、胴部１２４の内部に配置された回動シャフト１３の周囲には、発熱体１２５が不図示のネジ及びプレートを介して取り付けられている。この発熱体１２５は、温度ヒューズ、サーモスタット、電熱線などを備えており、不図示のリードワイヤーを介してトップカバー１内の回路基板３１に接続されている。
【００２６】
［発熱体について］
ここで、トップカバー１の側面には、例えばＵＳＢケーブルなどの電源ケーブルの不図示の差し込み口（ポート）が形成されている。この差し込み口へ差し込まれた電源ケーブルを介して外部から回路基板３１へ電力が供給されると、トップカバー１の上面に設けられた発光部１Ａが赤色で点灯する。そして、外部から供給された電力は、回路基板３１を介して電熱線２９へ与えられ、発熱体１２５の温度が上昇し始める。その後、数分の時間をかけて発熱体１２５の温度が適正温度範囲（例えば、１００℃前後）に到達すると、発光部１Ａの色が青色に切り替わり、発熱体１２５の温度が適正温度範囲に保たれるように温度制御（サーモスタット２２によるオン／オフ制御）が行われる。その後、不図示の電源ケーブルからの電力供給が停止されると、発光部１Ａが消灯し、発熱体１２５が自然冷却される。
【００２７】
［ヘアーカーラーの使用手順について］
ユーザは、トップカバー１の差し込み口へ電源ケーブルの一端を接続すると共に、電源ケーブルの他端を電源装置（アダプタ、ＰＣのＵＳＢポートなど）へ接続した後、発光部１Ａが赤色で点灯したことにより電力供給の開始を確認する。その後、数分ほど待機し、トップカバー１の発光部１Ａの色が青になったことを確認すると、電源ケーブルをトップカバー１の差し込み口から取り外す。この状態で、ヘアーカーラー１００の胴部１２４は１００℃程度に温められている。その後、ユーザは、ヘアーカーラー１００の胴部１２４へ毛髪を巻き付け、不図示のヘアークリップなどで自分の頭部へ固定する。その後、ヘアーカーラー１００の温度が常温に戻るまでの冷却期間（数分から数十分、一晩でも可）を待機する。その後、常温となったヘアーカーラー１００からヘアークリップを外し、毛髪を巻き取る。この状態では毛髪にカール形状が転写されている。
【００２８】
［案内プレートの説明］
図４（Ａ）は、トップカバーと共に回動する案内プレートを説明する斜視図、図４（Ｂ）はボトムカバーの側へ固定された案内プレートを説明する斜視図である。
【００２９】
図４（Ａ）に示すとおり、トップカバー１の上側に配置された案内プレート９は、回動シャフト１３を介してボトムカバー２の下側に配置された案内プレート８に固定されている。よって、トップカバー１が回動すると、図４（Ａ）に示す部材が一体として回動する。
【００３０】
図４（Ｂ）に示すとおり、トップカバー１の下側に配置された案内プレート4及びボトムカバー２の上側に配置された案内プレート５Ａは、半割筒体５と共にボトムカバー２の側へ固定されている。よって、トップカバー１が回動しても、図４（Ｂ）に示す部材はボトムカバー２に固定されたままである。
【００３１】
したがって、トップカバー１が回動すると、トップカバー1内に重ねて配置された案内プレート９，４は互いに摺動するようにして相対的に回動し、ボトムカバー２内に重ねて配置された案内プレート５Ａ，８は互いに摺動するようにして相対的に回動する。
【００３２】
ここで、案内プレート９には、半割筒体６の上突起部６Ｕ（図３）の移動を案内する第一上案内溝９Ｕ−１及び充填体７の上突起部７Ｕ（図３）の移動を案内する第二上案内溝９Ｕ−２が設けられている。
また、案内プレート４にも、半割筒体６の上突起部６Ｕの移動を案内する第一上案内溝４Ｕ−１及び充填体７の上突起部７Ｕの移動を案内する第二上案内溝４Ｕ−２が設けられている。
よって、これら案内プレート９，４の第一上案内溝９Ｕ−１及び第一上案内溝４Ｕ−１の相対位置により、半割筒体６の上突起部６Ｕの位置が規制され、案内プレート９，４の第二上案内溝９Ｕ−２及び第二上案内溝４Ｕ−２の相対位置により、充填体７の上突起部７Ｕの位置が規制される。
一方、案内プレート８には、半割筒体６の下突起部６Ｌ（図３）の移動を案内する第一下案内溝８Ｌ−１及び充填体７の下突起部７Ｌ（図３）の移動を案内する第二下案内溝８Ｌ−２が設けられている。
また、案内プレート５Ａにも、半割筒体６の下突起部６Ｌの移動を案内する第一下案内溝５Ｌ−１及び充填体７の下突起部７Ｌの移動を案内する第二下案内溝５Ｌ−２が設けられている。
よって、これら案内プレート８，５Ａの第一下案内溝８Ｌ−１及び第一下案内溝５Ｌ−１の相対位置により、半割筒体６の下突起部６Ｌの位置が規制され、案内プレート８，５Ａの第二下案内溝８Ｌ−２及び第二下案内溝５Ｌ−２の相対位置により、充填体７の下突起部７Ｌの位置が規制される。
なお、図４（Ｂ）における符号４Ｕ−１’、５Ｌ−１’は、半割筒体６の側端縁に設けられた上突起部６Ｕ’（図３）及び下突起部６Ｌ’（図３）を回動可能に軸支するための円形孔である。
【００３３】
そして、上側に重ねて配置された案内プレート９，４が相対的に回動し、下側に重ねて配置された案内プレート５Ａ，８が相対的に回動すると、これらの案内溝９Ｕ，４Ｕ，５Ｌ，８Ｌに掛止された上突起部６Ｕ，７Ｕ及び下突起部６Ｌ，７Ｌがそれぞれ所定方向に移動するので、半割筒体６及び充填体７がそれぞれ下述するとおりに変位する。
【００３４】
［可動部の動きの説明］
図５（Ａ）は、トップカバーを外した小径状態のヘアーカーラーの概略平面図、図５（Ｂ）は、トップカバーを外した大径状態のヘアーカーラーの概略平面図である。なお、可動部の動きを分かり易くするために、図５では案内プレート、発熱体、及び回動シャフトの図示は省略した。
【００３５】
先ず、図１のトップカバー１が矢印Ａの方向へ回動（図５（Ａ）の状態から図５（Ｂ）の状態）すると、半割筒体６の中央上端に設けられた上突起部６Ｕが矢印Ｃの方向へと案内される。このとき、半割筒体６の側端縁６Ｅ’に設けられた上突起部６Ｕ’を支点として、半割筒体６の全体の姿勢が外周側へ開くようにして変化するので、半割筒体６の側端縁６Ｅが、半割筒体５の側端縁５Ｅから離間して隙間Ｇが形成される。尚、図示省略したが、半割筒体６の下端側の下突起部６Ｌも上突起部６Ｕと同様にして案内され、半割筒体６の下端側の下突起部６Ｌ’も上突起部６Ｕ’と同様に軸支される。
【００３６】
また、図１のトップカバー１が矢印Ａの方向へ回動（図５（Ａ）の状態から図５（Ｂ）の状態）すると、充填体７の中央上端に設けられた上突起部７Ｕが矢印Ｄの方向へ案内されるので、当該充填体７の全体が胴部１２４の内部から外周側へ向かって移動し、当該隙間Ｇを充填することになる。尚、図示省略したが、充填体７の下端側の下突起部７Ｌも上突起部７Ｕと同様にして案内される。
【００３７】
［ストッパの説明］
図６は、ストッパの説明図である。本実施形態のヘアーカーラー１００は、小径状態と大径状態をそれぞれ保持するためのストッパを備えている。このストッパは、回動可能なトップカバー１の内側壁に設けられたリブ１Ｒ（図６（Ａ））と、固定された案内プレート４の周囲に設けられた２つのリブと４Ｒ，４Ｒ（図６（Ｂ））との組み合わせで構成されている。この図６（Ａ）のリブ１Ｒが図６（Ｂ）のリブ４Ｒ，４Ｒの間に位置するようにしてトップカバー１が案内プレート４の周囲に配置される。よって、トップカバー１が回動すると、トップカバー１のリブ１Ｒが案内プレート４のリブ４Ｒ，４Ｒの間を移動する。そして、トップカバー１のリブ１Ｒが案内プレート４の一方のリブ４Ｒを乗り越えると大径状態が保持され、トップカバー１のリブ１Ｒが案内プレート４の他方のリブ４Ｒを乗り越えると小径状態が保持されるようになっている。したがって、ユーザは左右の手でトップカバー１及びボトムカバー２をそれぞれつかみ、両手首をひねって「カチッ」というクリック音がするまで力を加えることにより、胴部１２４を小径状態又は大径状態に固定することができる。また、その反対側に両手首をひねって再び「カチッ」というクリック音がするまで力を加えることにより、当該固定を解除することができる。
【００３８】
［ヘアークリップの説明］
図７（Ａ）は、ヘアークリップをヘアーカーラーに装着した状態を示す斜視図、図７（Ｂ）はヘアークリップの分解図である。図７に示すとおり、本実施形態のヘアーカーラー１００は、胴部１２４に巻き付けられた毛髪を押さえるためのヘアークリップ２００を備える。このヘアークリップ２００は、上ヘアークリップ１１及び下ヘアークリップ１２をスプリングバネ３２で連結したものであって、上ヘアークリップ１１及び下ヘアークリップ１２の形状は、ヘアーカーラー１００をユーザの頭部へ固定した場合の邪魔にならないよう胴部１２４の湾曲に沿うような形状（湾曲した粗い目の櫛状）となっている。このようなヘアークリップ２００は、スプリングバネ３２の弾性力によって胴部１２４の周囲に巻き付けられた毛髪を適度な強度で押さえることができる。なお、スプリングバネ３２の弾性力の強度は、胴部１２４が大径状態にあるときと小径状態にあるときの何れにおいても毛髪を適度な強度で押さえることができるように予め調整されているものとする。
【００３９】
［実施形態の効果］
以上説明したとおり、本実施形態のヘアーカーラー１００によれば、ユーザが左右の手で鍔状のトップカバー１及び鍔状のボトムカバー２をそれぞれ軽く掴み、両手首を互いに反対方向へ少しひねるだけで、これらトップカバー１及びボトムカバー２を相対的に回動させ、胴部１２４の径を大径状態（図２）と小径状態（図１）との間で切り替えることが可能である。しかも、仮にユーザが説明書を読まなかったとしても、ヘアーカーラー１００を手で持って少し触っている間に、鍔状のトップカバー１及び鍔状のボトムカバー２が相対的に回動可能であること、そしてこの回動によって胴部１２４の径が変化することに容易に気づくことが可能である。しかも、このヘアーカーラー１００へ毛髪を巻き付ける際には、鍔状のトップカバー１又は鍔状のボトムカバー２を片手で掴み、これを回転させながら他方の手で胴部１２４へ毛髪を巻き付けて行くことができるので、巻き付けの作業が容易である。さらに、ヘアーカーラー１００を頭部へ固定した後も、ヘアーカーラー１００の表面に余計な突起等を有していないため、就寝中に邪魔になりにくく、また寝返りを打った際に外れたり、頭皮を痛めたりするおそれもない。
【００４０】
以上、本考案のヘアーカーラーの一例について説明したが、上記の構造はヘアーカーラーの機能が損なわれない範囲で適宜に変更することが可能である。
【符号の説明】
【００４１】
１    トップカバー
２    ボトムカバー
３    スクリューカバー
４    案内プレート
４Ｕ  上案内溝
５    固定された半割筒体
５Ａ  案内プレート
５Ｌ  下案内溝
６    変位可能な半割筒体
６Ｕ  上突起部
６Ｌ  下突起部
７    変位可能な充填体
７Ｕ  上突起部
７Ｌ  下突起部
８    案内プレート
８Ｌ  下案内溝
９    案内プレート
９Ｕ  上案内溝
１０  レンズカバー
１１  上ヘアークリップ
１２  下ヘアークリップ
１３  回動シャフト
２４  面ファスナー
３１  回路基板
３２  スプリングバネ
１００  ヘアーカーラー
１２４  胴部
１２５  発熱体
２００  ヘアークリップ
【図１】
0003229816.tif 000003
【図２】
0003229816.tif 000004
【図３】
0003229816.tif 000005
【図４】
0003229816.tif 000006
【図５】
0003229816.tif 000007
【図６】
0003229816.tif 000008
【図７】
0003229816.tif 000009